(57)【特許請求の範囲】
【請求項１】
下記の要件を備えたことを特徴とする物品取出容器
（イ）容器本体と当該容器本体に設けられた蓋体とから構成されていること。
（ロ）前記容器本体は、菓子等の複数の物品を収容する物品収容部と、前記物品を外部に取り出すための開口を有する物品取出部とからなっていること。
（ハ）前記物品収容部と物品取出部の間には、前記物品を通過させるための連通部が設けられていること。
（ニ）前記容器本体には前記蓋体が回動自在に設けられており、前記開口を開閉自在に覆うようになっていること。
（ホ）前記蓋体の開動作に伴って前記物品取出部に位置する物品を取り出す物品取出手段を有していること。
（ヘ）前記物品取出部には、前記物品をその姿勢を保ったまま所定位置に保持する物品保持部と、前記蓋体の開動作に伴って前記連通部からの新たな物品の進入を防止する規制部を有した規制部材が設けられていること。
【請求項２】
下記の要件を備えたことを特徴とする物品取出容器
（イ）容器本体と当該容器本体に設けられた蓋体とから構成されていること。
（ロ）前記容器本体は、菓子等の複数の物品を収容する物品収容部と、前記物品を外部に取り出すための開口を有する物品取出部とからなっていること。
（ハ）前記物品収容部と物品取出部の間には、前記物品を通過させるための連通部が設けられていること。
（ニ）前記容器本体には前記蓋体が回動自在に設けられており、前記開口を開閉自在に覆うようになっていること。
（ホ）前記蓋体の開動作に伴って前記物品取出部に位置する物品を取り出す物品取出手段を有していること。
（へ）前記物品取出手段は、前記物品を狭持するための狭持部を有しており、蓋体の閉動作によって物品を狭持し、蓋体の開動作によって当該狭持した物品を外部に取り出すようになっていること。
（ト）前記物品取出部には、前記物品をその姿勢を保ったまま所定位置に保持する物品保持部と、前記蓋体の開動作に伴って前記連通部からの新たな物品の進入を防止する規制部を有した規制部材が設けられていること。
【請求項３】
前記蓋体と前記規制部材は同軸上で互いに接しながら回動するよう構成されており、前記蓋体と前記規制部材の同軸上における接触によって蓋体の開閉動作に伴う回転力が規制部材に伝達され、規制部材が回動するようになっていることを特徴とする請求項１又は２記載の物品取出容器。
【請求項４】
前記物品収容部内の連通部近傍には、他の物品が、連通部を通過する物品に対して通過方向とは異なる方向から接触し物品の通過を妨げることがないように、他の物品の移動を制限する制限部材が設けられていることを特徴とする請求項１乃至３のいずれか一項記載の物品取出容器。
【発明の詳細な説明】
【０００１】
【発明の属する技術分野】
本願発明は、小物品を一つずつ取り出すための物品取出容器に関するものであり、特に、錠剤のような形状に固化させた菓子や健康食品等を収容し、一つずつ取り出せるようにした容器に関するものである。
【０００２】
【従来の技術】
従来、「菓子および食品の容器」が知られている。当該容器は、容器内に収容された菓子等を、動物、ロボット、人間、キャラクターを模した狭持部材によって取り出すものであり、当該狭持部材が容器の外側に取り付けられたものである。
【０００３】
【発明が解決しようとする課題】
上記従来の容器は、その形状および明細書の記載内容から、テーブル等の上に載置した状態で使用することを前提としており、容器の外部に前記狭持部材が突出して固定された形状となっている。また、ポケットに入れて携帯するというようなことは前提とされていないので、収容物の飛び出しを防止することを目的とした、容器の収容部を開閉するような蓋部材は用意されていなかった。
【０００４】
本願発明は上記の点に鑑み発明されたものであって、菓子、栄養食品等、錠剤に似た形態の物品を収容し任意に取り出すことが出来る容器であって、携帯に適した形状にするとともに、携行時等の未使用時には取出口となる開口を塞ぐことで物品の不用意な飛び出しを防止し、蓋を開く動作のみで物品を一つずつ取り出すことができる新規な容器を提供するものである。また、物品の欠損等を防止するとともに、円滑に物品を取り出すための構造を提供するものである。
【０００５】
【課題を解決するための手段】
上記課題を解決するために、本願請求項１記載の発明は以下に述べる効果を有している。すなわち、物品取出容器であって
（イ）容器本体と当該容器本体に設けられた蓋体とから構成されていること。
（ロ）前記容器本体は、菓子等の複数の物品を収容する物品収容部と、前記物品を外部に取り出すための開口を有する物品取出部とからなっていること。
（ハ）前記物品収容部と物品取出部の間には、前記物品を通過させるための連通部が設けられていること。
（ニ）前記容器本体には前記蓋体が回動自在に設けられており、前記開口を開閉自在に覆うようになっていること。
（ホ）前記蓋体の開動作に伴って前記物品取出部に位置する物品を取り出す物品取出手段を有していること。
（ヘ）前記物品取出部には、前記物品をその姿勢を保ったまま所定位置に保持する物品保
持部と、前記蓋体の開動作に伴って前記連通部からの新たな物品の進入を防止する規制部を有した規制部材が設けられていること。
【０００６】
【０００７】
また、請求項２記載の発明は、以下の構成を有する。すなわち、物品取出容器であって（イ）容器本体と当該容器本体に設けられた蓋体とから構成されていること。
（ロ）前記容器本体は、菓子等の複数の物品を収容する物品収容部と、前記物品を外部に取り出すための開口を有する物品取出部とからなっていること。
（ハ）前記物品収容部と物品取出部の間には、前記物品を通過させるための連通部が設けられていること。
（ニ）前記容器本体には前記蓋体が回動自在に設けられており、前記開口を開閉自在に覆うようになっていること。
（ホ）前記蓋体の開動作に伴って前記物品取出部に位置する物品を取り出す物品取出手段を有していること。
（へ）前記物品取出手段は、前記物品を狭持するための狭持部を有しており、蓋体の閉動作によって物品を狭持し、蓋体の開動作によって当該狭持した物品を外部に取り出すようになっていること。
（ト）前記物品取出部には、前記物品をその姿勢を保ったまま所定位置に保持する物品保持部と、前記蓋体の開動作に伴って前記連通部からの新たな物品の進入を防止する規制部を有した規制部材が設けられていること。
【０００８】
また、請求項３記載の発明は、請求項１又は２記載の物品取出容器であって、
前記蓋体と前記規制部材は同軸上で互いに接しながら回動するよう構成されており、前記蓋体と前記規制部材の同軸上における接触によって蓋体の開閉動作に伴う回転力が規制部材に伝達され、規制部材が回動するようになっていることを特徴とする。
【０００９】
また、請求項４記載の発明は、請求項１乃至３のいずれか一項に記載の物品取出容器であって、
前記物品収容部内の連通部近傍には、他の物品が、連通部を通過する物品に対して通過方向とは異なる方向から接触し物品の通過を妨げることがないように、他の物品の移動を制限する制限部材が設けられていることを特徴とする。
【００１０】
【発明の実施の形態】
以下、本願発明の一実施の形態を図面に基づいて説明する。図１は本願発明に係る物品取出容器の分解斜視図を表し、図２は物品取出容器の内部機構を表す透視図であり、図３は物品取出容器の機構を説明するための説明図である。はじめに、容器１の主な構成を説明する。図１において、１は本願発明に係る物品取出容器（以下単に「容器」という。）を示しており、当該容器１はそれぞれ合成樹脂の成形によって形成された容器本体３と当該容器本体３に設けられた蓋体５とから構成されている。容器本体３はさらに左容器体３ａと右容器体３ｂを互いに対向させて接合することによって構成されている。各容器体３ａ、３ｂの形状は、後述する物品取出側を除き略長方形状に形成された側壁４ａ、４ｂをそれぞれ有し、当該側壁４ａ、４ｂの周縁に、後述する開口等の部位を除き周壁６ａ、６ｂが形成されたものとなっている。また、当該周壁６ａ、６ｂの端面は互いに当接する部位となっており、当該端面には複数の嵌合孔７ａ、複数の嵌合凸部７ｂがそれぞれ形成され、互いに嵌合することにより各容器体３ａ、３ｂを結合させるようになっている。なお、左容器体３ａと右容器体３ｂは互いに対称な形状となっているので、以下、特に断りのない限り、符号に「ａ」を付したものを左容器体３ａに設けられた要素、「ｂ」を付したものを右容器体３ｂに設けられた要素として説明する。また、説明上使用する上下左右の用語は、特に説明が無い限り図面の上下左右と同一の方向を表すものとして使用する。
【００１１】
上記構成による容器本体３には、後述する規制部材９を介して蓋体５が回動自在に取り付けられており、容器本体３の一側に形成された開口１１を開閉自在に塞ぐようになっている。容器本体３には、さらに物品Ｘを供給するための物品供給口１３が形成されており、当該物品供給口１３は物品供給蓋１５によって開閉自在に塞がれるようになっている。物品供給蓋１５には略Ｃ字状の断面を有する軸受部１７が形成されており、当該軸受部１７が左容器体３ａと右容器体３ｂにそれぞれ設けられたポスト１９ａ、１９ｂの当接によって構成された軸に対して回動自在に枢支されるようになつている。また、当該ポスト１９ａ、１９ｂは互いに当接することによって左容器体３ａと右容器体３ｂとの距離を適切に保ち、両容器体３ａ、３ｂによって構成される空間（後述する物品収容部２１）の容積を外部からの押圧等に抗して保つ作用を有している。
【００１２】
前記蓋体５には、物品Ｘを狭持して取り出すための物品取出手段２３が設けられている。物品取出手段２３は、本実施の形態では合成樹脂による成形によって動物の形態に形成された形象部材２５を有し、当該形象部材２５に一対の狭持手段２７、２７が設けられた構成となっている。当該一対の狭持手段２７、２７は狭持すべき物品Ｘの厚みより若干狭い間隔で配置されており、当該狭持手段２７、２７が有する弾性によって物品Ｘを適度な力で挟み、把持するようになっている。また、形象部材２５は、前記蓋体５に対して取付部材２９を介して蓋体５に取り付けられている。当該取付部材２９は前記形象部材２５を載置固定するためのアーム３１と、前記蓋体５に設けた嵌着部３３に嵌着されるフランジ３５とから構成されている。蓋体５、取付部材２９および形象部材２５は、容器１の完成時においては接着材若しくは所定の固定手段によって強固に固定されるが、製造時においては形象部材２５を他の形態の部材に取り替えることも考えられることから、それぞれ別々の部材として構成し仕様変更に対応しやすくなっている。
【００１３】
次に、以上説明した容器本体３、当該容器本体３内に設けられる規制部材９、蓋体５の構造についてさらに詳しく説明する。はじめに容器本体３について説明する。容器本体３は前述のように左容器体３ａと右容器体３ｂを対向させて結合させることによって構成された部材であり、蓋体５を取り付けた状態で幅が約１０ｍｍ、高さが約３０ｍｍ、長さが約７０ｍｍ程度の外形寸法となる略直方体状に形成されている。すなわち、衣服のポケットに入れて携行する際に、邪魔にならない程度の大きさおよび形状に形成されている。また、容器本体３内には、複数の物品Ｘを収容するための物品収容部２１、当該物品収容部２１に隣接する物品取出部３７が設けられている。これら物品収容部２１および物品取出部３７は、前述した各左容器体３ａ、右容器体３ｂの各側壁４ａ，４ｂおよび周壁６ａ，６ｂによって囲まれた空間である。
【００１４】
物品収容部２１と物品取出部３７は、仕切部材３９ａ、３９ｂによって仕切られている。当該仕切部材３９ａ、３９ｂは、それぞれ各容器体３ａ、３ｂの内壁に対して垂直に一体的に形成された部材であり、その端部において互いに当接しあい、容器１内部を仕切る部材として作用している。また、仕切部材３９ａ、３９ｂは、物品収容部２１と物品取出部３７の間を仕切る部材であるが、物品Ｘが通過できる程度の間隔を有した開口を残すように設けられている。すなわち、物品Ｘの外形（本実施の形態においては物品の直径）よりも若干大きい間隔（高さ）を残しており、物品収容部２１と物品取出部３７を連通させる開口として連通部４１が形成されている。仕切部材３９ａ、３９ｂの端部には、さらに制限部材４３ａ、４３ｂが形成されている。当該制限部材４３ａ、４３ｂは、後述する物品Ｘを移動させる通路４５と略平行となるように設けられた凸片状の仕切であり、物品収容部２１側と物品取出部３７側にそれぞれ突出するように形成されている。本実施の形態では、制限部材４３ａ、４３ｂの長さは物品Ｘの外形（直径寸法）と略同程度の長さに形成されている。
【００１５】
物品収容部２１には前述した通路４５が設けられている。当該通路４５は、物品Ｘを一
列に配列し、その端部に位置する物品から順に物品取出部３７に物品Ｘを供給するための部位である。通路４５は、両容器体３ａ、３ｂから物品収容部２１内側に突出した部材によって、側壁および底壁が形成された上部解放の溝状の部位であり、容器１の長手方向に沿って、容器１の端部方向から連通部４１に向かって下降傾斜するように設けられている。また、側壁の高さは物品Ｘの外形（直径寸法）と略同程度の寸法であり、底壁の幅は、物品Ｘの厚み寸法よりも若干長い寸法となっている。具体的には、当該通路４５は、底部となる底壁４７ａ、４７ｂと、当該底壁４７ａ、４７ｂの両側に位置する側壁４９ａ、４９ｂによって構成された部位である。そして、当該側壁４９ａ、４９ｂの上端には、外側に向かって開口を広げる方向に傾斜した傾斜部５１ａ、５１ｂが設けられた構造となっている。この通路４５の形状によって、外形寸法よりも幅の小さい円形の物品を、当該物品を立てた状態で保持し、下降傾斜に従って通路４５内を転がるようにガイドするようになっている。
【００１６】
次に、規制部材９について説明する。規制部材９は連通部４１を介して物品収容部２１から物品取出部３７に入る物品Ｘの進入を規制するとともに、前述した物品取出手段２３の一対の狭持手段２７、２７によって適切に把持されるように物品Ｘの姿勢を所定の状態に保持するための部材である。規制部材９は、合成樹脂の一体成型によって形成された部材であり、一端部には二股状に分かれ互いに平行に配置された一対の軸受片５３、５３が形成され、当該軸受片５３、５３のそれぞれの表裏（外側および内側）には、同軸上に回動軸となる突起５５が形成されている。すなわち、規制部材９は、軸受片５３、５３のそれぞれ外側に設けられた前記突起５５、５５が両容器体３ａ、３ｂの所定部位に設けられた軸受孔５７ａ、５７ｂにそれぞれ枢支され、両容器体３ａ、３ｂに設けられた突起５９ａ、５９ｂと周壁６ａ、６ｂによって規制される範囲内で回動するようになっている。規制部材９の他端側には、前記連通部４１に対向して開口端６１を有する物品保持部６３が設けられている。当該物品保持部６３は、一つの物品Ｘを前記通路４５で配列された姿勢のまま保持する部位であり、一部に切欠部６５、６５を設けた支持壁６７、６７によって構成されている。また、切欠部６５、６５は、物品取出手段２３の一対の狭持手段２７、２７が物品Ｘの中央付近を把持させるために、各部材が干渉しないように設けた逃げ部である。
【００１７】
次に、蓋体５について説明する。蓋体５は図示するように、容器１の長手方向一側の角部を構成する、略三角形状の外観を備えた部材であり、端部に軸受部６９が設けられている。当該軸受部６９には、孔７１が設けられており、当該孔７１が前記規制部材９の一対の軸受片５３、５３の内側にそれぞれ設けられた突起５５、５５と嵌合することにより、当該突起５５、５５を中心として蓋体５が回動するようになっている。また、蓋体５は、左右の各容器体３ａ、３ｂに軸支された規制部材９に対して、摺接しながら規制部材９の回動軸と同軸上で軸支されている。すなわち、蓋体５の軸受部６９は規制部材９の一対の軸受片５３、５３に対して挟持され、両部材間の接触による摩擦力によって、蓋体５の回動に伴って規制部材９も前記一定の範囲内で回動するようになっている。
【００１８】
次に、容器１の作用、使用等方法等を図２および図３を用いて説明する。図２（ａ）は、容器１に対して物品Ｘを複数収容して蓋体５を閉じた状態を表し、図２（ｂ）は蓋体５を開いて一の物品Ｘを取り出した状態を示した一部透視図である。本実施の形態では、容器１は、その最適な例として、収容する物品が所定の厚みを有し外形が円形に形成された所謂錠剤のような形状の物品の収容に適したものとして形成されている。従って、前述のように容器１の外観形状は角部については所定の半径で面取りをした曲面となっているが、全体として薄型の直方体型容器として形成され、容器１の内部では図２に示すように物品Ｘが直径方向に積み重ねられ、厚み方向には積み重ならないような状態で収容されるようになっている。また、物品収容部２１内には前述のように、通路４５および当該通路４５に対して物品Ｘを誘い込むように傾斜した傾斜部５１ａ、５１ｂが設けられておいる。
従って、容器１を図２に示す姿勢で立てた場合には、物品Ｘは傾斜部５１ａ、５１ｂに沿って通路４５内に誘いこまれ、さらに通路４５は連通部４１側に向かって下降傾斜しているので、自重で連通部４１側に移動する力が作用し、傾斜に沿って移動する。
【００１９】
図２（ａ）は、蓋体５を閉じた状態を示している。この状態では、前述した回動可能な規制部材９が下方に位置しており、通路４５、連通部４１、開口端６１を介して物品Ｘが物品保持部６３に対して供給され、当該物品保持部によってその姿勢が保持されている。また、同時に物品取出手段２３の狭持手段２７が、前記物品保持部６３によって保持された物品Ｘの幅方向を狭持した状態となっている。図２（ｂ）は、蓋体５を開いた状態を示している。この状態では、前述した回動可能な規制部材９が上方に位置しており、連通部４１を開口端６１によって塞ぎ、物品Ｘが物品保持部６３に対して供給されるのを防止している。また、同時に物品取出手段２３の狭持手段２７が物品Ｘを把持した状態で、物品Ｘを物品取出部３７から取り出した状態となっている。以上のように、蓋体５閉じた状態で物品取出手段２３が物品Ｘを把持し、蓋体５を開くことによって、物品取出手段２３が一つの物品Ｘを取り出すようになっている。
【００２０】
上記の蓋体５の開閉に伴う物品Ｘの取出しについて、図３（ａ）、図３（ｂ）、図３（ｃ）を用いてさらに詳細に説明する。図３の各図は容器１を側面から透視した状態として表した図である。図３（ａ）は、前述した図２（ａ）に示した状態と同じ状態を側面から表したものである。すなわち、蓋体５が閉じ、物品保持部６３に対して供給された物品Ｘ１を、物品取出手段２３の狭持手段２７によって狭持した状態を示している。また、次に物品保持部６３に対して供給される予定の物品Ｘ２が、通路４５の端部に止まっている。この際、物品Ｘ２は、次の物品Ｘ３によって物品保持部６３方向に押されているが、物品保持部６３内には既に物品Ｘ１が入っていてそれ以上進むことが出来ないので、前記の場所に止まっている。
【００２１】
物品Ｘ２が止まっている通路４５の端部位置上部には、前述した仕切部材３９ａ、３９ｂと一体的に設けられた制限部材４３ａ（４３ｂ）が設けられている。当該制限部材４３ａ（４３ｂ）は、連通部４１直前の通路４５の上部に、その連通部４５に沿って、物品Ｘが通過できる程度の高さを保持しながら設けられた仕切部材である。当該制限部材４３ａ（４３ｂ）は、物品Ｘ２が物品保持部６３方向に移動しようとした場合に、次の物品Ｘ３以外の物品から押されるのを防止し、円滑に物品が供給するために設けられた部材である。また、物品Ｘ１が取り出される際に、物品Ｘ２は物品Ｘ１から上方へ移動するような力を受けるが、上方に制限部材４３ａ（４３ｂ）を設けることによって移動することがなく、円滑に物品Ｘ１と物品Ｘ２を分離するようになっている。
【００２２】
図３（ｂ）は、蓋体５が開きはじめた状態であり、規制部材９の開口端６１（物品保持部６３）側が蓋体５の開動作にともなって上昇した状態を示している。蓋体５が開きはじめると、軸受部６９において摺接している規制部材９に対して、蓋体５と同じ方向に回転させる力が作用する。これによって、規制部材９の開口端６１が上昇し、当該開口端６１が規制部として連通部４１を塞ぎ、次に待機している物品Ｘ２の進入を防止している。
【００２３】
図３（ｃ）は、蓋体５を完全に開いた状態であり、物品Ｘ１が物品取出部３７の外部に取り出されている。また、規制部材９が突起５９ａ（５９ｂ）に当接する位置まで回動している。この状態で開口端６１の角部７３が次に待機している物品Ｘ２の最も開口端６１側に突出した位置と当接している。次に、再び蓋体５が閉まり始めると、規制部材９が下がり次の物品Ｘ２を物品保持部６３に保持し、完全に蓋体５が閉じられた状態で物品取出手段２３の狭持手段２７が物品Ｘ２を狭持した状態となる。この繰り返しによって、蓋体の開閉の都度物品を一つずつ取り出すことができるようになっている。前記のように、角部７３が物品Ｘ２の最突出部と当接させるようにしているのは、開口端６１側への移動（
逆戻り）を極力少なくするためである。物品Ｘの取出に伴って、次の物品Ｘ２以下通路４５内に一列に並んでいる各物品を通路内で逆戻りさせることになると、次のような問題が発生する。すなわち、通路４５内に入っている物品は、互いに接触しながら全て通路４５の傾斜に沿って連通部４１側に移動する方向に自重等によって力を受けている。この状態で物品を逆戻りさせると、互いに重なり合っている物品に対して、前記と反対方向の力を与えることとなり、場合によっては物品を破損させてしまうことも考えられる。このような観点から、出来る限り通路４５内では物品を逆戻りさせない構造を採用することが好ましい。
【００２４】
【発明の効果】
以上説明したように、本願請求項１に係る発明は以下に述べる効果を有している。すなわち、本願発明に係る物品取出容器は、ポケットに入れて持ち歩くとき、および衛生面を考慮して蓋体が設けられており、当該蓋体を開く動作に伴って動物や他のキャラクタ人形が菓子等の物品を一つずつ取り出してくれるようになっている。従って、従来の容器のように蓋がなく、容器の外部にキャラクタ等が付いていて携行に適しないものとは異なり、携行性に優れかつ衛生的であって、蓋の開閉とともにキャラクタ人形等が表れて菓子等を取り出してくれるという従来にない物品取出容器を提供することができるという効果を有している。また、容器の外形を実施例で説明したような薄型の直方体状とすることで、より携行性に適した物品取出容器を提供することができる。
【００２５】
また、請求項２記載の発明は、上記効果に加え以下に述べる効果を有している。すなわち、物品の把持を、物品の厚み方向を部材の弾性によって狭持する物品取出手段によって行っており、当該物品取出手段はこのような構成から、物品取出手段の幅を物品の厚みよりも若干大きい程度の寸法内で形成することができる。本願発明に係る容器は、このような物品取出手段を採用したので被装着部材となる蓋体の幅も小さく構成することが出来る。また、物品取出手段を動物や他のキャラクター形状の形象物とすることで、蓋を開くことによって形象物が物品を把持して表出させることができる。以上のことから、薄型で携行に適した物品取出容器を提供できるとともに、当該物品取出装置によって物品取出の都度形象物を見て楽むことができるという効果を有している。
【００２６】
また、請求項１又は２記載の発明は、上記効果に加え以下に述べる効果を有している。すなわち、物品の姿勢保持と次の物品の進入を防止する機能を備えた規制部材を設けることで、一つずつ確実に物品が取り出すことができるようになるという効果を有している。さらに、規制部材は一の部材で物品の姿勢保持と次の物品の進入を防止という２つの機能を有しているので、装置として小型であり、当該規制部材を内蔵した物品取出容器の外形を小さく構成することができるという効果を有している。
【００２７】
また、請求項３記載の発明は、上記効果に加え以下に述べる効果を有している。すなわち、規制部材と蓋体の回動を同軸上で行わせ、互いに摺接させる構造としたので、このような極めて簡単な機構によって蓋体の回動に合わせて規制部材を動作させることができるようになっている。また、この構造は実施例で説明した薄型容器の厚み方向にも収まるものであり、容器の薄型化を実現し携行に適した物品取出容器を提供することができるという効果を有している。
【００２８】
また、請求項４記載の発明は、上記効果に加え以下に述べる効果を有している。すなわち、物品収容部内の連通部近傍に制限部材を設けたので、物品取出部に供給される物品の移動を妨げる他の物品の移動を制限しているので、円滑に物品を供給し確実に物品を取り出すことが出来る物品取出容器を提供することができるという効果を有している。
【図面の簡単な説明】
【図１】本願発明に係る物品取出容器の分解斜視図である。
【図２】本願発明に係る物品取出容器の内部機構を表す透視図である。
【図３】本願発明に係る物品取出容器の機構を説明するための説明図である。
【符号の説明】
１  容器
３  容器本体
５  蓋体
３ａ  左容器体
３ｂ  右容器体
４ａ  側壁
４ｂ  側壁
６ａ  周壁
６ｂ  周壁
７ａ  嵌合孔
９  規制部材
１１  開口
１３  物品供給口
１５  物品供給蓋
１７  軸受部
１９ａ  ポスト
１９ｂ  ポスト
２１  物品収容部
２３  物品取出手段
２５  形象部材
２７  狭持手段
２９  取付部材
３１  アーム
３３  嵌着部
３５  フランジ
３７  物品取出部
３９ａ  仕切部材
３９ｂ  仕切部材
４１  連通部
４３ａ  制限部材
４３ｂ  制限部材
４５  通路
４７ａ  底壁
４７ｂ  底壁
４９ａ  側壁
４９ｂ  側壁
５１ａ  傾斜部
５１ｂ  傾斜部
５３  軸受片
５５  突起
５７ａ  軸受孔
５７ｂ  軸受孔
５９ａ  突起
５９ｂ  突起
６１  開口端
６３  物品保持部
６５  切欠部
６７  支持壁
６９  軸受部
７１  孔
７３  角部
Ｘ  物品
【図１】
0003593089.tif 000002
【図２】
0003593089.tif 000003
【図３】
0003593089.tif 000004